(57)【要約】【課題】この発明は、保守点検での作業負荷を軽減すると共に、油回収容器からの油の溢流や油供給タンク内の油の枯渇を未然に回避することができるエレベータのガイドレール用給油装置を得る。【解決手段】油供給タンク２がガイドレール２１の上端側に取り付けられ、フェルト４の一端が油供給タンク２内に延出し、その他端がガイド部２１ａの両側壁面に密接している。導油部材８がガイドレール２１の下端側に取り付けられ、ガイドレール２１を伝わって流れ落ちてきた油１９を受けて油回収容器７に流す。油戻しポンプ１６が一端を油回収容器７に接続され、他端を油供給タンク２に接続された返油配管１７の経路中に配設されている。制御手段２３が、レベル計１５の検出信号に基づいて、油回収容器７内の油面レベルが所定のレベル範囲内に入るように油戻しポンプ１６の作動を制御する。【選択図】図１
2009227385.tif 000002
【特許請求の範囲】
【請求項１】
エレベータの昇降路の壁面に沿って立設されたガイドレールの上端側に取り付けられ、油を貯留する油供給タンクと、
上記油供給タンク内の油を上記ガイドレールのガイド部に給油する給油手段と、
上記昇降路のピットに配設された油回収容器と、
上記ガイドレールの下端側に取り付けられ、該ガイドレールを伝わって流れ落ちてきた油を受けて上記油回収容器に流す導油部材と、
一端を上記油回収容器に接続され、他端を上記油供給タンクに接続された返油配管と、
上記返油配管の経路中に配設され、作動して該返油配管を介して上記油回収容器内の油を上記油供給タンクに戻す油戻しポンプと、
上記油回収容器内の油面レベルを検出する油面レベル検出手段と、
上記油面レベル検出手段の検出信号に基づいて、上記油面レベルが所定のレベル範囲内に入るように上記油戻しポンプの作動を制御する制御手段と、
を備えていることを特徴とするエレベータのガイドレール用給油装置。
【発明の詳細な説明】
【技術分野】
【０００１】
この発明は、エレベータのガイドレール用給油装置に関するものである。
【背景技術】
【０００２】
エレベータにおいては、かごが昇降路内に上下方向に延設されたガイドレールに案内されて昇降移動する。このとき、かごに設けられたガイドシューがガイドレール上を円滑に摺動するように、ガイドレールの上方に配設された給油器から油を給油している。そして、油はガイドレールを伝わって流れ落ち、ピット内のガイドレールの下方に設置された油受け装置に回収される（例えば、特許文献１参照）。
【０００３】
【特許文献１】特開２００３−２０６０８４号公報
【発明の開示】
【発明が解決しようとする課題】
【０００４】
従来の技術では、作業者が保守点検時に油受け装置に回収された油を濾過器で濾過し、給油器に戻していたので、作業負荷が大きくなると共に、保守点検時期が遅れると、油受け装置が油で満杯となって溢流してピット内を汚染したり、給油器内の油が枯渇してガイドシューがガイドレール上を円滑に摺動しなくなる事態が発生する。
【０００５】
この発明は、上記課題を解決するためになされたもので、ガイドレールを伝わって流れ落ちる油を油回収容器に回収し、油回収容器内に回収された油を油戻しポンプで油供給タンク内に戻すようにし、保守点検での作業負荷を軽減すると共に、油回収容器からの油の溢流や油供給タンク内の油の枯渇を未然に回避することができるエレベータのガイドレール用給油装置を得ることを目的とする。
【課題を解決するための手段】
【０００６】
この発明によるエレベータのガイドレール用給油装置は、エレベータの昇降路の壁面に沿って立設されたガイドレールの上端側に取り付けられ、油を貯留する油供給タンクと、上記油供給タンク内の油を上記ガイドレールのガイド部に給油する給油手段と、上記昇降路のピットに配設された油回収容器と、上記ガイドレールの下端側に取り付けられ、該ガイドレールを伝わって流れ落ちてきた油を受けて上記油回収容器に流す導油部材と、一端を上記油回収容器に接続され、他端を上記油供給タンクに接続された返油配管と、上記返油配管の経路中に配設され、作動して該返油配管を介して上記油回収容器内の油を上記油供給タンクに戻す油戻しポンプと、上記油回収容器内の油面レベルを検出する油面レベル検出手段と、上記油面レベル検出手段の検出信号に基づいて、上記油面レベルが所定のレベル範囲内に入るように上記油戻しポンプの作動を制御する制御手段と、を備えている。
【発明の効果】
【０００７】
この発明では、油は油供給タンク内からガイドレールのガイド部に給油され、ガイド部を伝わって下降し、導油部材で受けられて油回収容器に回収され、返油配管を介して油供給タンクに戻る経路を循環する。そして、制御手段が、油面レベル検出手段の検出信号に基づいて、油回収容器内の油面レベルが所定のレベル範囲内に入るように油戻しポンプの作動を制御しているので、油供給タンクの油の貯留量も、所定の範囲内に入るように自動的に制御される。そこで、作業者自らが油回収容器内に回収された油を油供給タンク内に戻す必要がなく、保守点検での作業負荷が軽減されると共に、油回収容器からの油の溢流や油供給タンク内の油の枯渇が未然に回避される。
【発明を実施するための最良の形態】
【０００８】
以下、本発明の一実施の形態を図面に基づいて説明する。
図１はこの発明の一実施の形態に係るガイドレール用給油装置の構成を模式的に説明する図、図２はこの発明の一実施の形態に係るガイドレール用給油装置における油供給タンクの取り付け状態を示す上面図、図３はこの発明の一実施の形態に係るガイドレール用給油装置における油供給タンクの取り付け状態を示す正面図、図４はこの発明の一実施の形態に係るガイドレール用給油装置における導油部材の取り付け状態を示す一部破断正面図、図５はこの発明の一実施の形態に係るガイドレール用給油装置における油回収容器の取り付け状態を示す一部破断側面図である。
【０００９】
図１乃至図５において、ガイドレール用給油装置１は、昇降路の壁面に沿って立設されたガイドレール２１の上端側に取り付けられた油供給タンク２と、油供給タンク２内の油１９を毛細管現象によってガイドレール２１に給油する給油手段としてのフェルト４と、昇降路のピット床面２２に設置された油回収容器７と、ガイドレール２１の下端側に取り付けられてガイドレール２１を伝わって流れ落ちてきた油１９を集めて油回収容器７に流す導油部材８と、一端を油回収容器７に接続され、他端を油供給タンク２に接続された返油配管１７と、返油配管１７の経路中に配設され、作動して油回収容器７内の油１９を油供給タンク２に圧送する油戻しポンプ１６と、返油配管１７の油戻しポンプ１６の上流側に配設された濾過装置１４と、返油配管１７の油戻しポンプ１６の下流側に配設された逆止弁２０と、油回収容器７内の油１９の油面レベルを検出する油面レベル検出手段としてのレベル計１５と、レベル計１５の検出信号に基づいて、油回収容器７内の油面レベルが所定のレベル範囲内に入るように油戻しポンプ１６の作動を制御する制御手段２３と、を備える。
【００１０】
油供給タンク２は、耐油性樹脂や金属を用いて、コ字状の貯油空間を形成する有底筒状に作製されている。そして、フェルト４が一端を油供給タンク２の底部に穿設された貫通穴２ａから油供給タンク２内に延出するように油供給タンク２に取り付けられている。油供給タンク２は、ガイドレール２１のＴ字状のガイド部２１ａの上端側をコ字状の凹部内に納めるように配置され、ボルト５とナット６とを用いて、そのフランジ部２ｂをガイドレール２１の背面に配置された取付板３に締着して取り付けられる。この時、フェルト４の他端がガイドレール２１のガイド部２１ａの両側壁面に密接している。これにより、油供給タンク２内の油１９が毛細管現象によりフェルト４を介してガイドレール２１のガイド部２１ａに給油される。
【００１１】
導油部材８は、耐油性樹脂や金属を用いて、コ字状の油受け空間を形成し、かつ底部９ａを傾斜面とする有底筒状に作製された油受け容器９と、一端を油受け容器９の底部９ａの最下部に形成された排油口１０に連結され、他端を油回収容器７内に挿入された油回収配管１１と、ガイド部２１ａに嵌合可能なコ字状体に作製され、一端面を傾斜面１２ａとする耐油性ゴム製の油切り１２と、を備える。油受け容器９は、ガイドレール２１のガイド部２１ａの下端側をコ字状の凹部内に納めるように配置され、ボルト５とナット６とを用いて、そのフランジ部９ｂをガイドレール２１の背面に配置された取付板１３に締着して取り付けられる。さらに、油切り１２が傾斜面１２ａを上方に向けてガイド部２１ａに嵌着されて油受け容器９に上部に設置される。この時、油切り１２は弾性変形してガイド部２１ａの周面に密接している。
【００１２】
濾過装置１４は、回収された油１９に混入された異物を除去する為のもので、例えばフィルタを内部に備えている。レベル計１５は、油回収容器７内に回収された油１９の油面レベルを検出するものであり、静電容量式、超音波式など公知のレベル計が用いられる。制御手段２３は、ＣＰＵ、メモリなどを備えたマイクロコンピュータで構成され、レベル計１５の検出信号に基づいて、油回収容器７内の油面レベルが所定のレベル範囲内に入るように油戻しポンプ１６の作動を制御する。
【００１３】
ここで、制御手段２３の油戻しポンプ１６の作動の制御方法の１例を説明する。初期状態として、油戻しポンプ１６の作動が停止されているものとする。
まず、制御手段２３は、レベル計１５の検出信号に基づいて、油面レベルが第１レベル（上限値）より高いか否かを判定する。油面レベルが第１レベルより高くないと判定すると、油戻しポンプ１６の作動の停止状態を維持する。また、油面レベルが第１レベルより高いと判定すると、油戻しポンプ１６を作動させて、油回収容器７内の油１９を油供給タンク２に戻す。これにより、油回収容器７内の油量が減少することになり、油回収容器７からの油１９の溢流が防止される。
【００１４】
ついで、制御手段２３は、レベル計１５の検出信号に基づいて、油面レベルが第２レベル（下限値）より低いか否かを判定する。油面レベルが第１レベルより低くないと判定すると、油戻しポンプ１６の作動状態を維持する。また、油面レベルが第２レベルより低いと判定すると、油戻しポンプ１６の作動を停止し、油回収容器７内からの油１９の送出を停止する。これにより、油回収容器７内の油量が増加することになる。
ついで、制御手段２３は、レベル計１５の検出信号に基づいて、油面レベルが第１レベル（上限値）より高いか否かを判定する。以降、同様に制御を行う。
【００１５】
このように、制御手段２３は、油戻しポンプ１６を停止させている状態では、油面レベルが第１レベルに上昇するまでは停止状態を維持し、油面レベルが第１レベルより高くなると油戻しポンプ１６を作動させる。また、油戻しポンプ１６を作動させている状態では、油面レベルが第２レベルまで下降するまでは作動状態を維持し、油面レベルが第２レベルより低くなると油戻しポンプ１６を停止させる。
【００１６】
つぎに、このように構成されたガイドレール用給油装置１の動作について説明する。
ここで、油１９が油供給タンク２内に十分に供給されているとする。油供給タンク２内の油１９は、毛細管現象によりフェルト４を介してガイドレール２１のガイド部２１ａの上端側に給油される。そして、油１９はガイド部２１ａを伝わって流れ落ちる。これにより、かごの昇降の際にかごに設けられたガイドシューが円滑に摺動する。ガイド部２１ａを伝わって下端側まで流れ落ちてきた油１９は、油切り１２の傾斜面１２ａを伝わって油受け容器９内に流れ込み、排油口１０から油回収配管１１を通って油回収容器７内に集められる。
【００１７】
油回収容器７内の油面レベルがレベル計１５により検出されている。そして、油面レベルが第１レベル（上限値）より高くなると、油戻しポンプ１６が作動される。これにより、油１９が油回収容器７から濾過装置１４に導入され、油１９に混入している異物が除去される。異物が除去された油１９は、返油配管１７を通って油供給タンク２に戻され、油供給タンク２内の油１９の枯渇が防止される。
油回収容器７内の油１９が油供給タンク２内に戻され、油回収容器７内の油面レベルが第２レベル（下限値）より低くなると、油戻しポンプ１６の作動が停止される。この時、返油配管１７内に残っている油１９の逆流が逆止弁２０により阻止される。
【００１８】
このように、油回収容器７内の油面レベルが所定のレベル範囲内、即ち第１レベルと第２レベルとの間に入るように制御される。この時、油１９の循環経路内での油量はほぼ一定であり、油供給タンク２内の貯油量も所定の範囲内に入るように制御される。
【００１９】
この発明によれば、油回収容器７内の油面レベルをレベル計１５で検出し、制御手段２３が、レベル計１５の検出信号に基づいて、油戻しポンプ１６の作動を制御し、油回収容器７内の油面レベルが所定のレベル範囲内に入るように制御し、同時に油供給タンク２内の貯油量が所定の範囲内に入るように制御している。そこで、作業者が保守点検時に油回収容器７に回収された油１９を濾過して油供給タンク２に戻すような作業が不要となり、作業負荷が著しく軽減される。また、油１９が油回収容器７から溢れてピット床面２２を汚すような事態、および油供給タンク２内の油１９が枯渇してガイドシューの摩耗を促進するような事態を未然に回避できる。
【００２０】
なお、上記実施の形態では、かごの昇降を移動するガイドレールに適用するものとしているが、つり合いおもりの昇降を案内するガイドレールに適用してもよい。
また、上記実施の形態では、油面レベル検出手段としてレベル計１５を用いるものとしている、油面レベル検出手段は油回収容器７内の油面レベルを検出できればよく、例えばフロートスイッチを用いてもよい。
また、上記実施の形態では、給油手段としてフェルト４を用いるものとしているが、給油手段は毛細管現象により油１９を油供給タンク２内からガイド部２１ａに給油できるものであればよく、例えば灯心を用いてもよい。
【図面の簡単な説明】
【００２１】
【図１】この発明の一実施の形態に係るガイドレール用給油装置の構成を模式的に説明する図である。
【図２】この発明の一実施の形態に係るガイドレール用給油装置における油供給タンクの取り付け状態を示す上面図である。
【図３】この発明の一実施の形態に係るガイドレール用給油装置における油供給タンクの取り付け状態を示す正面図である。
【図４】この発明の一実施の形態に係るガイドレール用給油装置における導油部材の取り付け状態を示す一部破断正面図である。
【図５】この発明の一実施の形態に係るガイドレール用給油装置における油回収容器の取り付け状態を示す一部破断側面図である。
【符号の説明】
【００２２】
２  油供給タンク、４  フェルト（給油手段）、７  油回収容器、８  導油部材、１５  レベル計（油面レベル検出手段）、１６  油戻しポンプ、１９  油、２１  ガイドレール、２１ａ  ガイド部、２３  制御手段。
【図１】
2009227385.tif 000003
【図２】
2009227385.tif 000004
【図３】
2009227385.tif 000005
【図４】
2009227385.tif 000006
【図５】
2009227385.tif 000007